(57)【要約】【課題】物性のバラツキが小さく安価でありながらも、天然木材と同等の品質と共に良好なビス保持力をも有する額縁用枠材を提供する。【解決手段】木質成分を１０〜３０重量％、発泡剤を１〜５重量％含有する複合材料組成物により形成された発泡木材プラスチック複合材料からなり、比重が０．５〜０．８に設定されている。これによれば、ねじの呼びがＭ２の皿ビスを螺合したとき、ビス保持力は２００Ｎ以上となる。したがって、枠材１０に裏板保持部材１１や吊金具１２をビス留めしたとしても、当該裏板保持部材１１や吊金具１２が容易に抜け外れることを避けることができる。【選択図】図２
2020110710.tif 000002
【特許請求の範囲】
【請求項１】
熱可塑性樹脂と木質成分とを含有する発泡木材プラスチック複合材料からなり、
比重が０．５〜０．８である、額縁用枠材。
【請求項２】
ねじの呼びがＭ２の皿ビスを螺合したときのビス保持力が２００Ｎ以上である、請求項１に記載の額縁用枠材。
【請求項３】
木質成分を１０〜３０重量％、
発泡剤を１〜５重量％含有する複合材料組成物により形成されている、請求項１または請求項２に記載の額縁用枠材。
【請求項４】
外周を囲む枠材と、該枠材の内側に配される透明なカバー板と、該カバー板の裏面を覆う裏板とを有する額縁であって、
前記枠材として請求項１ないし請求項３のいずれかに記載の額縁用枠材を使用しており、
該枠材には、少なくとも裏板保持部材が回動可能にビス留めされている、額縁。
【請求項５】
前記枠材に、吊金具もビス留めされている、請求項４に記載の額縁。
【発明の詳細な説明】
【技術分野】
【０００１】
本発明は、額縁用枠材と、これを利用した額縁に関する。
【背景技術】
【０００２】
写真や絵画等を立てかけたり壁に吊り掛けたりして飾る際には、額縁（大きさや構造等によっては、写真立てと称される）が使用される。額縁の基本的構成は、外周を囲む枠材と、枠材の内側に配される透明なカバー板と、カバー板の裏面を覆う裏板とを有し、カバー板と裏板の間に写真等を収容して飾ることになる。
【０００３】
ここで、枠材には天然木材が使用されることが多い。しかし、天然木材は質感が良く強度も良好である反面、樹脂と比べると重量が大きい、空気中の水分等の影響で反りが発生することがある、年輪の間隔や節の有無等によって強度等にバラツキが生じる、などの欠点を有する。反りの発生や強度等のバラツキに関しては、高品質な天然木材を使用すれば解消し得るが、高価となる。
【０００４】
これに対し、重量を軽減して落下による損傷を低減する額縁として、特許文献１が提案されている。特許文献１では、枠材を軽量で柔軟な発泡樹脂、具体的には発泡スチロールにより形成し、さらに、傷を付き難くするため、枠材の表面に弾性被膜を二層積層している。
【先行技術文献】
【特許文献】
【０００５】
【特許文献１】実開平５−２９４６７号公報
【発明の概要】
【発明が解決しようとする課題】
【０００６】
ところで、額縁の裏板は写真等を出し入れするために開閉可能（着脱可能）となっており、枠材の裏面には裏板を保持するための裏板保持部材が回動可能にビス留めされている。また、額縁を壁に吊り掛けることを想定して、吊金具がビス留めされていることもある。この場合、裏板保持部材や吊金具が容易に抜け外れてしまうと製品不良となり、本来の使用方法では使用できなくなる。
【０００７】
これに対し特許文献１では、枠材を発泡スチロールにより形成して軽量化することで、落下時の損傷を低減している。しかし、発泡スチロールは比重が小さく強度も低いため、ビス保持力が極めて小さい。そのため、裏板保持部材や吊金具をビス留めしたとしても、容易に抜け外れて破損する可能性が高い。特に、吊金具は額縁全体の重量に耐えるだけの保持力が必要となるが、枠材が発泡スチロール製ではこれを担保することは困難である。これを避けるためには、カバー板や裏板の重量も含めて額縁全体の重量を抑える必要があるため、額縁寸法は大きく制限される。しかも、枠材を発泡スチロール製にして軽量化を図ると、額縁に低級なイメージが付与されるおそれがある。
【０００８】
そこで、本発明は上記課題を解決するものであって、物性のバラツキが小さく安価でありながらも、天然木材と同等の品質と共に良好なビス保持力をも有する額縁用枠材と、これを利用した額縁を提供することを目的とする。
【課題を解決するための手段】
【０００９】
そのための手段として、本発明の額縁用枠材は、熱可塑性樹脂と木質成分とを含有する発泡木材プラスチック複合材料製となっており、その比重が０．５〜０．８に設定されている。これにより、この枠材は、ねじの呼びがＭ２の皿ビスを螺合したときのビス保持力（ビスが抜け外れる荷重）２００Ｎ以上を確保できる。なお、本発明で言う「額縁」は、「写真立て」も含む概念である。
【００１０】
そのためには、枠材を形成するための複合材料組成物を、木質成分の含有量１０〜３０重量％、発泡剤の含有量１〜５重量％とすればよい。
【００１１】
本発明の枠材は、外周を囲む枠材と、該枠材の内側に配される透明なカバー板と、該カバー板の裏面を覆う裏板とを有し、枠材には、少なくとも裏板保持部材が回動可能にビス留めされている額縁における枠材として好適に使用することができる。また、前記枠材には、吊金具も良好にビス留めすることができる。
【００１２】
なお、本発明及び明細書において数値範囲を示す「○○〜××」とは、特に明示しない限り「○○以上××以下」を意味する。
【発明の効果】
【００１３】
本発明の枠材は、熱可塑性樹脂と木質成分とを含有する複合材料により形成されている。したがって、天然木材のように空気中の水分等により反りが発生することはない。しかも、天然木材のグレードに起因するような物性や品質のバラツキも小さく、天然木材と比べて安価に製造することができる。また、複合材料を発泡させていることで過度な重量増大を避けながら、ビスのねじ込み力（ビス留めトルク）を小さくしてビス留めし易くできる。
【００１４】
そのうえで、本発明の枠材は、比重が０．５以上に設定されている。これにより、良好な強度が担保される。したがって、例えばＭ２皿ビスを螺合したときのビス保持力が２００Ｎ以上となり、ビスが容易に抜け外れて額縁が破損することを防止できる。而して、枠材に裏板保持部材や吊金具をビス留めしたとしても、これらが容易に脱落することを避けられる。なお、Ｍ２皿ビスを螺合したときのビス保持力２００Ｎ以上とは、全重量が１ｋｇ程度の比較的大型の額縁を壁に吊り掛けた場合にも耐え得る強度である。したがって、本発明の枠材を使用すれば、比較的大型で高級感のある額縁をも製造することができる。しかも、良好な表面硬度も有するため、例えば木目模様が印刷された転写フィルムを表面に貼着する場合でも、当該転写フィルムを綺麗に貼着できる。また、本発明の枠材は、比重が０．８以下に設定されている。これにより、成形性や作業性が良く、且つ過度に強度が高くないためビス留めし易い。
【図面の簡単な説明】
【００１５】
【図１】額縁の正面図である。
【図２】額縁の背面図である。
【発明を実施するための形態】
【００１６】
本発明の枠材は、額縁用の枠材として好適に使用される。当該額縁１としては、図１，２に示すように、外周を囲む枠材１０と、枠材１０の内側に配され写真等を保護する透明なカバー板２０と、カバー板２０の裏面を覆う裏板３０とを有し、枠材１０の裏面に少なくとも裏板保持部材１１がビス留めされた基本的構成である限り、その他の構成は特に制限無く、従来から公知の全ての額縁に適用可能である。
【００１７】
例えば額縁１の形状は、図１，２に示す四角形のみならず、円形や楕円形でもよいし、角を面取りした形状等でもよい。また、１枚の単体額縁のみならず、蝶番等によって互いに折り畳み可能に連結された複数枚綴りの額縁（図示せず）でもよい。額縁１に収容して飾るものは、カバー板２０と裏板３０とで挟持可能なシート状のものであれば特に制限されず、写真、絵画、賞状、証書、遺影などを挙げることができる。したがって、額縁１は写真立てと称すこともできる。以下には、典型的な形態の額縁を代表例に挙げて説明する。
【００１８】
本実施形態の額縁１は、図１，２に示すように、四角枠状の枠材１０と、カバー板２０と、裏板３０とを有する。カバー板２０は四角板であって、枠材１０によって囲まれた空間を全面的に覆うように配されている。カバー板２０は、枠材１０の裏面内周縁に沿って凹み形成した段部に宛がうように配すことができる。このとき、枠材１０とカバー板２０とを接着していることが好ましいが、接着していなくてもよい。また、カバー板２０は、二枚の枠材１０によって挟持された状態で配すこともできるし、枠材１０の内周面に設けたスリットへ差し込んで配すこともできる。カバー板２０の素材は、透明であれば特に限定されず、ガラス製や透明樹脂製とすることができる。透明樹脂としては、アクリル樹脂やポリカーボネート樹脂等が挙げられる。額縁１に高級感を持たせるにはガラス製が好ましく、軽量化を図るなら透明樹脂製が好ましい。
【００１９】
裏板３０は、枠材１０によって囲まれた空間の裏面側、すなわちカバー板２０の裏面を覆うことができる大きさ、形状の板材である。その素材は特に制限されず、天然素材が最も好ましいが、金属製や、不透明な樹脂製又はガラス製とすることもできる。天然素材としては、木材のほか、コルク材、合板、繊維ボード等が挙げられる。裏板３０の裏面には、図２に示すように、額縁１を立てかける際に支柱として使用する支柱部材３１を、蝶番３２を介して折り畳み可能に設けることもできる。支柱部材３１は、板状でも棒状でもよい。裏板３０は、写真等を収容した状態において、枠材１０の裏面とほぼ面一（ほぼ平行）となる。
【００２０】
そのうえで、枠材１０の裏面には、裏板３０を所定位置で保持するための裏板保持部材１１が、回動可能に設けられている。裏板保持部材１１はビス１５によって固定されており、当該ビス１５を中心として額縁１の面方向へ３６０℃回転可能である。裏板保持部材１１は、額縁１の面方向内側へ向けられたとき、その先端部が枠材１０の内周縁より僅かに内側へ突出し、この突出部分によって裏板３０が保持され脱落が防止される。裏板保持部材１１は、裏板３０の脱落を防止できる状態であれば、その設置個数及び場所は特に制限されない。図２に示す実施形態では、枠材１０の各辺へそれぞれ１つ、合計４箇所に設けているが、少なくとも上下又は左右に一対設けてあればよい。
【００２１】
また、枠材１０の裏面には、額縁１を壁等に吊り掛けるための吊金具１２もビス１５によって固定されている。吊金具１２としては、紐を通したり壁のフックや鋲等に掛け留められる鐶（蛸）であれば特に制限されない。具体的には、丸カン、リングカン、角カン、三角カン、ナスカン、鉄砲カン、蟹カン、Ｃカン、Ｄカン、Ｓカン、樽カン、マガタマフック、ダブルリング、レバースナップ、リングキャッチ、クイックキャッチ、リュックカンなどを挙げることができる。
【００２２】
吊金具１２も、裏板保持部材１１と同様に回動可能にビス留めすることもできるが、額縁１の重量に耐えるだけの保持力を必要とするため、回動させず裏板保持部１１よりも強固にビス留めすることが好ましい。例えば、裏板保持部材１１を締め付けトルク０．１４Ｎでビス留めし、吊金具１２は締め付けトルク０．２Ｎでビス留めする。吊金具１２は、少なくとも枠材１０の上辺へ１箇所設ければよいが、額縁１を大型化する場合は複数個所設けることが好ましい。本実施形態では、図２に示すように、額縁１を縦向き（本来的な使用方向）に吊り掛ける場合に使用するための左右両辺各１箇所ずつと、額縁１を横倒し状態でも使用できるように上下両辺各１箇所ずつの、合計４箇所に設けてある。
【００２３】
枠材１０は、熱可塑性樹脂と木質成分とを含有する発泡木材プラスチック複合材料から成る。当該発泡木材プラスチック複合材料は、比重が０．５〜０．８、好ましくは０．６〜０．７に設定されている。これにより、良好な強度が担保されることで、大きな力を要さずビス留めできる一方、良好なビス保持力を得ることができる。これに対し、枠材１０の比重が０．５未満であると、良好な強度を担保できず、ビスの保持力が急激に低下する。また、製造時にヒケが生じ易くなる。一方、枠材１０の比重が０．８より大きいと、ビスをねじ込む際に大きな力（トルク）を必要として作業性が悪化すると共に、成形性も低下する。
【００２４】
枠材１０の比重が上記範囲に設定されていることで、例えばねじの呼びがＭ２（Ｌ＝１０ｍｍ、Ｄ＝４．６ｍｍ）の皿ビスを螺合したときのビス保持力は、２００Ｎ以上となる。この場合、全体重量が約１ｋｇの額縁を吊り掛けたとしても、ビスが抜け外れることはない。したがって、裏板保持部材１１はもちろん、額縁１の全重量を支える吊金具１２でも、容易に枠材１０から抜け外れることを避けることができる。なお、木材として一般グレードである松材の比重は０．５５前後であり、高級品として使用されるケヤキ材の比重は０．７前後である。したがって、本発明の枠材１０は、天然木材と同等の比重を有する。
【００２５】
また、枠材１０の比重が上記範囲に設定されていることで、枠材１０の表面は凹凸が抑えられて平滑な状態となり、且つ良好な表面硬度も有する。したがって、必要に応じて枠材１０の表面に、木目を印刷したり、木目模様が転写された転写フィルムを貼着することも好ましい。枠材１０が木目調を呈せば、装飾性（意匠性）が向上して高級感を付与できる。しかも、枠材１０が平滑で良好な表面硬度を有するため、転写フィルムを強固に貼着することができ、枠材１０を所定の長さや形状にカットした場合でも、剥がれやささくれが発生することはなく、綺麗に貼着できる。また、転写フィルムを貼着せずに、若しくは転写フィルムの上からエンボス加工を施すこともできる。
【００２６】
枠材１０は、少なくとも熱可塑性樹脂と、木質成分と、発泡剤とを含有する複合材料組成物により形成される。
【００２７】
熱可塑性樹脂としては、汎用プラスチックを使用すればよい。具体的には、ポリエチレンやポリプロピレン等のポリオレフィン樹脂、ポリスチレン、塩化ビニル樹脂等が挙げられる。製造容易性と共に木質成分との馴染みも良い点において、塩化ビニル樹脂が好ましい。これらの熱可塑性樹脂は、１種のみを単用してもよいし、２種以上を混用してもよい。また、熱可塑性樹脂は廃材から得たリサイクル材を使用することもできるが、品質安定性の観点からバージン材が好ましい。
【００２８】
木質成分としては、セルロース、ヘミセルロース、リグノセルロース、セルロース誘導体等を使用できる。中でも、繊維長が比較的長いリグノセルロースが好ましい。リグノセルロースであれば、他の木質成分よりもビスの保持力を向上し易い。
【００２９】
複合材組成物における木質成分の含有量は、１０〜３０重量％、好ましくは１５〜２５重量％とする。木質成分の含有量が１０重量％未満では、熱可塑性樹脂の含有量が多すぎて枠材１０が伸び易くなり、ビス留めし難くなる。一方、３０重量％を超えると、成形性が悪化する。
【００３０】
発泡剤としては、トリクロロモノフルオロメタンやジクロロモノフルオロメタン等の塩フッ化アルカン系化合物、アゾビスイソブチロニトリル，アゾジカルボンアミド，バリウムアゾジカルボキシレート等のアゾ系化合物、パラトルエンスルホニルヒドラジド，ジフェニルスルホン−３，３’−ジスルホニルヒドラジド，４，４’−オキシビス（ベンゼンスルホニルヒドラジド），アリルビス（スルホニルヒドラジド）等のヒドラジン系化合物、ｐ−トルイレンスルホニルセミカルバジド，４，４’−オキシビス（ベンゼンスルホニルセミカルバジド）等のセミカルバジド系化合物、５−モルホリル−１，２，３，４−チアトリアゾール等のトリアゾール系化合物、Ｎ，Ｎ’−ジニトロソペンタメチレンテロラミン，Ｎ，Ｎ’−ジメチル−Ｎ，Ｎ’−ジニトロソテレフタルアミド等のＮ−ニトロソ系化合物などの有機系発泡剤が挙げられる。また、例えば、炭酸アンモニウム，炭酸水素アンモニウム，炭酸水素ナトリウム，亜硝酸アンモニウム，水酸化ホウ素ナトリウム，各種アジド類などの無機系発泡剤を使用することもできる。
【００３１】
複合材組成物における発泡剤の含有量は、１〜５重量％、好ましくは２〜４重量％とする。発泡剤の含有量が１重量％未満では、複合材組成物が良好に発泡せずビス留めし難くなる。一方、５重量％を超えると、発泡し過ぎて比重が小さくなってしまう。
【００３２】
また、複合材組成物（発泡木材プラスチック複合材料）には、本発明の効果を阻害しない範囲で、その他の添加剤を添加することもできる。例えば、フィラーを添加すると、コスト低減に有利となると共に、成形性やビス留め性が向上する。このようなフィラーとしては、例えば炭酸カルシウムや、炭酸マグネシウムなどを挙げることができる。中でも、粒径が安定しており配合の調整が比較的容易な炭酸カルシウムが好ましい。フィラーを添加する場合は、１〜１５重量％程度とすればよい。
【００３３】
その他の添加剤としては、可塑剤、滑剤、安定剤などを挙げることができる。
【００３４】
枠材１０は、上記複合材料組成物を使用して押出し成形により所定寸法の棒部材を得てから、枠状に組み立てることで製造することができる。これにより、物性の調整容易性や品質安定性が向上する。本実施形態では、押出し成形により得られた棒部材を、Ｖネール金具１６によって枠状に連結固定している。
【００３５】
額縁１を使用して写真等を飾る際は、裏板保持部材１１と裏板３０との係合を解除するように裏板保持部材１１を回転させてから、裏板３０を額縁１から取り外す。そして、カバー板２０の裏面に写真等を配したうえで、再度裏板３０で蓋をする。この際、写真等と裏板３０との間には、必要に応じて中敷を介在させることも好ましい。そのうえで、裏板保持部材１１を回転させて再度裏板３０と係合させて、裏板３０を保持する。このとき、裏板保持部材１１を固定しているビス１５は良好な保持力によって保持されているので、裏板保持部材１１を回動操作している際に、裏板保持部材１１が不用意に抜け外れることは無い。
【００３６】
写真等を額縁１へ収容できたら、支柱部材３１を使用して額縁１を立てかけてもよいし、吊金具１２へ紐等を通して壁へ吊り掛けることもできる。額縁１を壁に吊り掛けたとしても、吊金具１２を固定しているビス１５は良好な保持力によって保持されているので、額縁１が不用意に落下することは無い。
【符号の説明】
【００３７】
１  額縁
１０  枠材
１１  裏板保持部材
１２  吊金具
２０  カバー板
３０  裏板
【図１】
2020110710.tif 000003
【図２】
2020110710.tif 000004
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
額縁用の枠材として使用される枠材を生産する、枠材を生産する方法であって、
熱可塑性樹脂と、リグノセルロースの繊維と、発泡剤とを含有し、かつ、比重が０．５〜０．８である複合材料組成物が成形されてなる棒部材を、枠状に連結固定され、かつ、表面に転写フィルムが貼着された状態とし、もって枠材を生産する、
枠材を生産する方法。
【手続補正２】
【補正対象書類名】明細書
【補正対象項目名】００１１
【補正方法】変更
【補正の内容】
【００１１】
本発明の枠材は、外周を囲む枠材と、該枠材の内側に配される透明なカバー板と、該カバー板の裏面を覆う裏板とを有し、枠材には、少なくとも裏板保持部材が回動可能にビス留めされている額縁における枠材として好適に使用することができる。また、前記枠材には、吊金具も良好にビス留めすることができる。
また、額縁用の枠材として使用される枠材を生産する、枠材を生産する方法の発明も提供される。この枠材を生産する方法では、熱可塑性樹脂と、リグノセルロースの繊維と、発泡剤とを含有し、かつ、比重が０．５〜０．８である複合材料組成物が成形されてなる棒部材を、枠状に連結固定され、かつ、表面に転写フィルムが貼着された状態とし、もって枠材を生産する。